(57)【特許請求の範囲】
【請求項１】
共に合成樹脂成形品であるボックス本体とヒューズホルダとからなり、
遊技機に供給される電力を受け入れるための回路が組み込まれ、２個１組のヒューズ管固定端子が実装されている回路基板を保護するヒューズボックスであり、
保持したヒューズ管を、その径方向に沿って押し込むことにより該ヒューズ管の口金部を前記回路基板に設けられたヒューズ管固定端子に嵌合させて取り付け、前記径方向に沿って引き抜くことにより前記ヒューズ管固定端子から取り外すための前記ヒューズホルダには、
前記ヒューズ管固定端子に前記ヒューズ管を取り付けた状態では前記回路基板にほぼ平行となる略長方形の基板部と、
前記基板部の前面に固定されて、前記ヒューズ管を、その軸方向には抜き差し可能であるが前記基板部に対して垂直となる方向への移動は不可能に保持する保持部と、
前記基板部の左右端部から該基板部を挟んで前記保持部とは反対側になる背面側に延出形成されたレール部と、
前記基板部の中央部にて該基板部の背面側に延出形成されたつまみとが設けられ、
前記ボックス本体には、該ボックス本体の背面から前記回路基板に向かう方向に延出された矩形の筒状で、前記ヒューズホルダを挿通させると開放されている先端から前記ヒューズ管を保持した前記保持部が突出する挿通孔が、前記ヒューズ管固定端子の１組につき１つ設けられ、
該挿通孔の対面する２面には、それぞれ前記ヒューズホルダのレール部に整合するガイド溝が設けられており、
前記ガイド溝に前記レール部をはめ合わせた状態で前記ヒューズホルダを該挿通孔に押し込み、引き抜き可能であり、
前記ヒューズホルダの前記挿通孔への押し込み限度は前記ボックス本体又は前記ヒューズホルダ自身によっては規定されず、前記ヒューズホルダに保持された前記ヒューズ管の口金部が前記ヒューズ管固定端子に嵌合することで規定される
ことを特徴とするヒューズボックス。
【請求項２】
請求項１記載のヒューズボックスにおいて、
前記保持部は略筒状で、その軸方向に沿って開口する切れ目を有することを特徴とするヒューズボックス。
【請求項３】
請求項２記載のヒューズボックスにおいて、
前記保持部は、弾性変形させて前記切れ目を広げて該切れ目から前記ヒューズ管を挿入するに十分な弾性を備えていることを特徴とするヒューズボックス。
【請求項４】
請求項１ないし３のいずれか記載のヒューズボックスにおいて、
前記保持したヒューズ管の軸方向位置を規定する位置決め手段を備えることを特徴とするヒューズボックス。
【請求項５】
請求項１ないし４のいずれか記載のヒューズボックスにおいて、
前記基板部にはヒューズの状態を視認するための窓が設けられていることを特徴とするヒューズボックス。
【発明の詳細な説明】
【０００１】
【発明の属する技術分野】
本発明は、ヒューズホルダの技術分野に属する。
【０００２】
【従来の技術】
ヒューズ管を回路基板に設けられたヒューズ管固定端子に取り付け、また取り外すためにヒューズホルダが用いられている。
従来のヒューズホルダでは、例えば特開２０００−３１５４５２号公報に記載のように、箱状のヒューズホルダの内部に対をなす支持爪を立設し、その支持爪間にヒューズ管を押し込んで保持させていた。
【０００３】
【発明が解決しようとする課題】
ところで、ヒューズ管をヒューズ管固定端子から取り外す際には、ヒューズ管が支持爪を内側から弾性変形させる力として働くので、支持爪は、ヒューズ管の押し込み時には、これを通過させるだけの弾性変形が可能であるものの、ヒューズ管を取り外す際の上記力に対しては十分に抵抗可能とされていた。つまり、支持爪は少々の力では弾性変形しない程度に硬く、ヒューズ管を押し込むときにはかなり大きな力を必要とし、ヒューズ管の抜き取りも容易ではなかった。
【０００４】
【課題を解決するための手段および発明の効果】
上記課題を解決するための請求項１記載のヒューズボックスは、
共に合成樹脂成形品であるボックス本体とヒューズホルダとからなり、
遊技機に供給される電力を受け入れるための回路が組み込まれ、２個１組のヒューズ管固定端子が実装されている回路基板を保護するヒューズボックスであり、
保持したヒューズ管を、その径方向に沿って押し込むことにより該ヒューズ管の口金部を前記回路基板に設けられたヒューズ管固定端子に嵌合させて取り付け、前記径方向に沿って引き抜くことにより前記ヒューズ管固定端子から取り外すための前記ヒューズホルダには、
前記ヒューズ管固定端子に前記ヒューズ管を取り付けた状態では前記回路基板にほぼ平行となる略長方形の基板部と、
前記基板部の前面に固定されて、前記ヒューズ管を、その軸方向には抜き差し可能であるが前記基板部に対して垂直となる方向への移動は不可能に保持する保持部と、
前記基板部の左右端部から該基板部を挟んで前記保持部とは反対側になる背面側に延出形成されたレール部と、
前記基板部の中央部にて該基板部の背面側に延出形成されたつまみとが設けられ、
前記ボックス本体には、該ボックス本体の背面から前記回路基板に向かう方向に延出された矩形の筒状で、前記ヒューズホルダを挿通させると開放されている先端から前記ヒューズ管を保持した前記保持部が突出する挿通孔が、前記ヒューズ管固定端子の１組につき１つ設けられ、
該挿通孔の対面する２面には、それぞれ前記ヒューズホルダのレール部に整合するガイド溝が設けられており、
前記ガイド溝に前記レール部をはめ合わせた状態で前記ヒューズホルダを該挿通孔に押し込み、引き抜き可能であり、
前記ヒューズホルダの前記挿通孔への押し込み限度は前記ボックス本体又は前記ヒューズホルダ自身によっては規定されず、前記ヒューズホルダに保持された前記ヒューズ管の口金部が前記ヒューズ管固定端子に嵌合することで規定される
ことを特徴とする。
【０００５】
保持部へのヒューズ管の着脱は、ヒューズ管を、その軸方向に抜き差しすることで容易に行える。
ヒューズ管を基板部に対して垂直となる方向へ移動させること不可能であるので、ヒューズ管をヒューズ管固定端子から取り外す際に、ヒューズ管が保持部から離脱するおそれはない。したがって、例えば肉厚を大きくして保持部を弾性的に強固にするような必要はない。
また、例えば保持部の肉厚を薄めにする等により弾性変形を容易にしておけば、ヒューズ管の抜き差しは一層容易になる。保持部へのヒューズ管の着脱にあたって過大な力を加える必要がないので、その作業時にヒューズ管やヒューズホルダが破損するような不具合も生じない。
なお、言うまでもないことではあるが、保持部はヒューズ管の口金部を覆わない（露出させる）ことを要求される。
【０００６】
一方、ヒューズホルダに保持したヒューズ管を、その径方向に沿って押し込むことにより回路基板に設けられたヒューズ管固定端子に取り付ける作業は、ボックス本体に設けられた挿通孔のガイド溝にレール部をはめ合わせた状態でヒューズホルダを挿通孔に押し込むことで行われる。また、ヒューズ管をヒューズ管固定端子から取り外す作業も、挿通孔のガイド溝にレール部をはめ合わせた状態でヒューズホルダを引き抜くことで行われる。このように、ヒューズ管のヒューズ管固定端子への着脱も容易に行える。
【０００７】
請求項２記載のヒューズボックスは、請求項１記載のヒューズボックスにおいて、前記保持部は略筒状で、その軸方向に沿って開口する切れ目を有することを特徴とする。
【０００８】
軸方向に沿って開口する切れ目を設けることにより閉じた筒状ではなくなるから、保持部にヒューズ管を着脱するためにヒューズ管を軸方向に抜き差しする作業に際して、筒状の保持部を拡管する側に弾性変形させることができる。これによりヒューズ管の抜き差し作業が一層容易になる。
【０００９】
さらに、請求項３記載のように、前記保持部に、これを弾性変形させて前記切れ目を広げて該切れ目から前記ヒューズ管を挿入するに十分な弾性を備えさせれば、保持部へのヒューズ管の着脱を切れ目から行うことができる。あるいは、保持部への装着または取り外しは切れ目から行って、抜き取りまたは装着を軸方向の移動で行うことも可能である。いずれにしても、ヒューズ管の着脱が更に容易になり、臨機応変の方向から着脱できる。
【００１１】
請求項４記載のヒューズボックスは、請求項１ないし３のいずれか記載のヒューズボックスにおいて、前記保持したヒューズ管の軸方向位置を規定する位置決め手段を備えるので、ヒューズ管の口金部とヒューズ管固定端子との対応が正確になる。位置決め手段は、例えばヒューズ管の片側への軸方向移動を規制する突起などを設けたり、例えば保持部の軸方向長さを口金部同士の距離に対応させることで実現できる。もちろん、これら以外の構成でもかまわない。
【００１２】
請求項５記載のヒューズボックスは、請求項１ないし４のいずれか記載のヒューズボックスにおいて、前記基板部にはヒューズの状態を視認するための窓が設けられているので、ヒューズ管をヒューズ管固定端子から取り外さなくても、その状態（蒸発しているか否か）を確認できる。
【００１３】
【発明の実施の形態】
次に、本発明の実施例により発明の実施の形態を説明する。
【００１４】
【実施例】
本実施例は、本発明のヒューズホルダをパチンコ機のヒューズボックスに適用した例である。
図１に示すのは、パチンコ機の中枠１００の背面図である。
【００１５】
中枠１００は合成樹脂成形品で、中枠１００の中央部には、ほぼ台形の窓５８が設けられており、この窓５８の前面側に周知の遊技盤（図示略）を保持する。窓５８の右側に７５で示す部分は凹陥してハーネス通路７５となっている。また左下の１１８で示す部分も凹陥していて、発射ソレノイド１１０を収容するための発射ソレノイド収容部１１８とされている。ここに発射ソレノイド１１０を収容した際には打撃部１１２は孔１２０から前面側に突出する。そして、図示省略する発射レール上に置かれた遊技球を、発射ソレノイド１１０にて打撃して遊技盤面に撃ち込むことができる。
【００１６】
中枠１００の最上部には賞球用の遊技球を貯留するための賞球タンク１３０が装着される。
また、賞球タンク１３０の下方には賞球誘導レール１３４が接続されており、賞球タンク１３０から排出される遊技球を賞球誘導レール１３４にて整列させて導き、払出装置１３６に供給する。払出装置１３６は入賞に応じて稼働して、賞球誘導レール１３４からの遊技球を賞球として排出する。排出された賞球は、払出装置１３６の下側に接続された賞球誘導樋１３８、１４０にて誘導されて受皿（図示略）に放出される。
【００１７】
賞球タンク１３０の右側、払出装置１３６の上方にはヒューズ等を収容するヒューズボックス１３２が装着されている。前述のハーネス通路７５は払出装置１３６の側方を通過してヒューズボックス１３２に達している。
図２に示すように、ヒューズボックス１３２は、いずれも合成樹脂成形品であるボックス本体１０とヒューズホルダ２０とからなり、パチンコ機の本体側に取り付けられている回路基板３０や回路基板３０に実装されているヒューズ管固定端子４０や素子等を保護するものである。
【００１８】
本例の回路基板３０には、パチンコ機に供給される電力を受け入れるための回路とパチンコ機からの情報を外部（ホールコンピュータ）に送信するための回路が組み込まれているが、それらの構成は公知技術と同様であるので説明を省略する。この回路基板３０には対をなすヒューズ管固定端子４０（実際には複数組のヒューズ管固定端子が備わっているが、説明を簡明にするために本例では１組としている。）が備えられており、これらにヒューズホルダ２０のヒューズ管４１が取り付けられる。
【００１９】
ボックス本体１０は略長方形状であるが、回路基板３０に実装されているコネクタ５０等を避けるための凹み部分１２が設けられている。なお、ボックス本体１０は、通常は例えば弾性係合などによってパチンコ機の本体側に固定されるが、係合などを解除して取り外すことも可能である。
【００２０】
また、ボックス本体１０にはヒューズホルダ２０を挿通させる挿通孔１４が設けられている。挿通孔１４には、ヒューズホルダ２０のレール部２２に整合するガイド溝１６が設けられており、ガイド溝１６にレール部２２をはめ合わせた状態でヒューズホルダ２０を押し込み、また引き抜きできる。
【００２１】
ヒューズホルダ２０は、上述のレール部２２が左右端に配されていて、中央部には、ヒューズホルダ２０を押し込み、引き抜きする際に保持できるつまみ２４が設けられている。
レール部２２及びつまみ２４は基板部２６の背面側に延出形成されており、その基板部２６の前面には断面が円弧状で全体的には略筒状の保持部２８が設けられている。
【００２２】
保持部２８の下側には図４、図５に示すように切れ目２９が設けられている。この切れ目２９は保持部２８を完全な円筒と見立てたときに、そのほぼ１／４周分に相当する寸法である。
保持部２８の内径はヒューズ管４１のガラス管部分の外形よりもわずかに小さく設定されており、例えば保持部２８を押し広げるようにしながらヒューズ管４１を切れ目２９から押し込めば、保持部２８の弾性変形でヒューズ管４１を受け入れて保持できる。また、ヒューズ管４１を保持部２８の軸方向に挿入しても同様の弾性変形によってヒューズ管４１を受け入れて保持できる。また、一旦ヒューズ管４１を保持部２８に保持させてから、これを前述とは逆に切れ目２９や保持部２８の端側から抜き取ることもできる。ただし、ヒューズ管４１を保持部２８に保持させると、ヒューズ管４１の軸方向の移動に対してはガラス管と口金部４２との段差が保持部２８の端面に当たるので、わずかな力では軸方向に移動させられない。
【００２３】
ヒューズホルダ２０の保持部２８にヒューズ管４１を保持させた状態で（図４参照）、ヒューズホルダ２０を挿通孔１４に押し込むと（図５参照）、ヒューズ管４１の口金部４２がヒューズ管固定端子４０に押し込まれて、その弾性変形によって嵌合保持される。
【００２４】
また、図５に示す状態からヒューズホルダ２０を引き抜けば、ヒューズ管４１はヒューズ管固定端子４０から離脱する。
このように、ヒューズ管４１を保持したヒューズホルダ２０を押し込み、引き抜くことによって、ヒューズ管４１をヒューズ管固定端子４０に取付、取り外すことができる。
【００２５】
ヒューズ管４１を基板部２６に対して垂直となる方向へ移動させることは、保持部２８の形状から不可能であるので、ヒューズ管４１をヒューズ管固定端子４０から取り外す際に、ヒューズ管４１が保持部２８から離脱するおそれはない。したがって、例えば肉厚を大きくして保持部２８を弾性的に強固にするような必要はない。
【００２６】
一方、保持部２８へのヒューズ管４１の着脱は、ヒューズ管４１を、その軸方向に抜き差しすることや、切れ目２９を利用して容易に行える。保持部２８へのヒューズ管４１の着脱にあたって過大な力を加える必要がないので、その作業時にヒューズ管４１やヒューズホルダ２０が破損するような不具合も生じない。
【００２７】
保持部２８は略筒状で、その軸方向に沿って開口する切れ目２９を有するので、保持部２８にヒューズ管４１を着脱するためにヒューズ管４１を軸方向に抜き差しする作業に際して、筒状の保持部２８を拡管する側に弾性変形させることができる。これによりヒューズ管４１の抜き差し作業が一層容易になる。
【００２８】
また保持部２８は、これを弾性変形させて切れ目２９を広げて切れ目２９からヒューズ管４１を挿入するに十分な弾性を備えさせてあるから、保持部２８へのヒューズ管４１の着脱を切れ目２９から行うことができる。あるいは、保持部２８への装着または取り外しは切れ目２９から行って、抜き取りまたは装着を軸方向の移動で行うことも可能である。いずれにしても、ヒューズ管４１の着脱が更に容易になり、臨機応変の方向から着脱できる。
【００２９】
ヒューズホルダ２０には、基板部２６の背面につまみ２４を設けてあるので、保持したヒューズ管４１をヒューズ管固定端子４０に取り付け、取り外す作業は、このつまみ２４を持って行える。よって、作業性が向上する。
ヒューズホルダ２０の保持部２８は、その端面が口金部４２に当たることでヒューズ管４１の軸方向位置を規定する位置決め手段として機能するので、ヒューズ管４１の口金部４２とヒューズ管固定端子４０との対応が正確になる。
【００３０】
ヒューズホルダ２０は合成樹脂で一体成形されているので、例えば射出成形にて量産するのに適している。
ヒューズホルダ２０の基板部２６に、ヒューズの状態を視認するための窓を設ければ、ヒューズ管４１をヒューズ管固定端子４０から取り外さなくても、その状態（蒸発しているか否か）を確認できる。
【００３１】
以上、実施例に従って、本発明の実施の形態について説明したが、本発明はこのような実施例に限定されるものではなく、本発明の要旨を逸脱しない範囲でさまざまに実施できることは言うまでもない。
例えば実施例ではパチンコ機のヒューズボックスに本発明を適用しているが、他の形式の遊技機（例えばスロットマシン）のヒューズボックスに適用可能なことは言うまでもない。
【図面の簡単な説明】
【図１】  実施例のパチンコ機の中枠の背面図。
【図２】  実施例のヒューズボックスの分解斜視図。
【図３】  実施例のヒューズボックスの背面図。
【図４】  ヒューズホルダをボックス本体から分離した状態における、図３のＡ−Ａ断面図。
【図５】  ヒューズホルダをボックス本体に挿入した状態における、図３のＡ−Ａ断面図。
【符号の説明】
１０    ボックス本体
２０    ヒューズホルダ
２４    つまみ
２６    基板部
２８    保持部
２９    切れ目
３０    回路基板
４０    ヒューズ管固定端子
４１    ヒューズ管
４２    口金部
１３２  ヒューズボックス
【図１】
0004185989.tif 000002
【図２】
0004185989.tif 000003
【図３】
0004185989.tif 000004
【図４】
0004185989.tif 000005
【図５】
0004185989.tif 000006